(57)【要約】【課題】  各家具にそれぞれ配線機能が備わっているとともに、前後に背面合せで複数の家具を設置した場合には、それぞれの配線ダクトが協調して一列の配線ダクトを構成することができ、大幅なコストの低減化を図ることが可能な配線機能を備えたテーブル、机等の家具を提供する。【解決手段】  天板５の後部に後方へ突出した膨出部６を有し、該膨出部の下面側に横方向へ延びた配線ダクト７を設け、天板の膨出部の縁部を直線状の傾斜縁１０で形成し、該傾斜縁同士を接合して前後に背面合せで複数の家具を設置した場合に、各配線ダクトが同一直線状に配列するようにした。【選択図】        図１
2005152162.tif 000002
【特許請求の範囲】
【請求項１】
天板の後部に後方へ突出した膨出部を有し、該膨出部の下面側に横方向へ延びた配線ダクトを設けたことを特徴とする配線機能を備えたテーブル、机等の家具。
【請求項２】
前記天板の膨出部の縁部を直線状の傾斜縁で形成し、該傾斜縁同士を接合して前後に背面合せで複数の家具を設置可能となした請求項１記載の配線機能を備えたテーブル、机等の家具。
【請求項３】
前記天板の傾斜縁同士を接合して前後に背面合せで設置した最近接家具の前記配線ダクトが、同一直線状に配列可能としてなる請求項２記載の配線機能を備えたテーブル、机等の家具。
【請求項４】
前記天板の両側縁を平行且つ同一奥行幅とするとともに、前記膨出部の形状を二等辺三角形状とし、複数の家具を前後左右に密接させて千鳥配置可能となした請求項２又は３記載の配線機能を備えたテーブル、机等の家具。
【発明の詳細な説明】
【技術分野】
【０００１】
本発明は、配線機能を備えたテーブル、机等の家具に係わり、更に詳しくは単独若しくは複数組合わせて使用する配線機能を備えたテーブル、机等の家具に関するものである。
【背景技術】
【０００２】
従来から、配線機能を備えたテーブル、机等の家具は、各種提供されている。例えば、特許文献１には、長方形状の天板を脚体で支持した二つの机の間に、前方突出部が半円形状の補助天板を脚体を介して連結し、机天板の後部下面側と補助天板の後部下面側にそれぞれ連通するように配線ダクトを設けた構造が開示されている。
【０００３】
しかし、このような構造の配線機能を備えた机や補助天板を、背面合わせて設置した場合、前後２列に配列された机群にはそれぞれ配線ダクトが構成され、つまり配線ダクトが二列形成される。このような複数の机を背面合わせに設置する態様では、その境界部分に一列の配線ダクトがあれば十分であるが、前述の構造の机では過剰な配線機能となり、コスト高となっていた。その原因は、従来の机は単独で使用することを基本構成としていたので、それ自体で自己完結的に配線機能を備えさせていたからである。尚、前後に背面合わせで設置する机の天板間に隙間を形成し、該隙間に配線ダクト装置を設置するものも提供されているが、オプションとして配線ダクト装置が必要であり、レイアウトの変更や組替えの際には変更の自由度が少なくなる。
【０００４】
一方、特許文献２には、前縁部が後縁部よりも横幅が広く且つ後部が平面視方形である天板を有し、該天板の前端両側部を前支脚で支持するとともに、後部の方形部を後脚体で支持し且つ該後脚体が方形部から側方及び後方へ突出しないように設定してなる異形天板机が開示されている。この机は、前後に背面合せで千鳥配置に設置可能である。
【特許文献１】実公平５−２２０９８号公報（第１図）
【特許文献２】特開２００１−１２０３７９号公報（図３）
【発明の開示】
【発明が解決しようとする課題】
【０００５】
そこで、本発明が前述の状況に鑑み、解決しようとするところは、各家具にそれぞれ配線機能が備わっているとともに、前後に背面合せで複数の家具を設置した場合には、それぞれの配線ダクトが協調して一列の配線ダクトを構成することができ、大幅なコストの低減化を図ることが可能な配線機能を備えたテーブル、机等の家具を提供する点にある。
【課題を解決するための手段】
【０００６】
本発明は、前述の課題解決のために、天板の後部に後方へ突出した膨出部を有し、該膨出部の下面側に横方向へ延びた配線ダクトを設けたことを特徴とする配線機能を備えたテーブル、机等の家具を構成した（請求項１）。
【０００７】
ここで、前記天板の膨出部の縁部を直線状の傾斜縁で形成し、該傾斜縁同士を接合して前後に背面合せで複数の家具を設置可能となした（請求項２）。
【０００８】
また、前記天板の傾斜縁同士を接合して前後に背面合せで設置した最近接家具の前記配線ダクトが、同一直線状に配列可能としてなることが好ましい（請求項３）。
【０００９】
更に、前記天板の両側縁を平行且つ同一奥行幅とするとともに、前記膨出部の形状を二等辺三角形状とし、複数の家具を前後左右に密接させて千鳥配置可能とすることがより好ましい（請求項４）。
【発明の効果】
【００１０】
以上にしてなる請求項１に係る発明の配線機能を備えたテーブル、机等の家具は、単独で使用する場合にも、天板の膨出部の下面側に設けた配線ダクトを利用して配線することができ、また天板の後部に膨出部を設けたので、該膨出部にパーソナルコンピュータ（以下「パソコン」と称す）を載置すれば、その天板の前部を広く使用することができ、しかも複数の家具を前後左右に千鳥配置した場合、設置空間、特に奥行方向の空間を少なくすることができる。
【００１１】
請求項２によれば、家具の天板の傾斜縁同士を接合して前後に背面合せで設置するので、更に設置空間を少なくすることができるとともに、前後の天板が連続するので、天板間の隙間から物が落下することがない。
【００１２】
請求項３によれば、複数の家具の天板下面側に設けた配線ダクトが協調して一列の配線ダクトを形成し、各家具に亘って配線することができ、しかも最小限の構成で済むので、大幅なコスト低減化を図ることができる。
【００１３】
請求項４によれば、複数の家具を前後左右に密接状態で設置することができ、更に設置空間を少なくすることができるとともに、全ての天板が連続するので、外観的にも優れ、また天板間の隙間から物が落下することがない。
【発明を実施するための最良の形態】
【００１４】
次に、添付図面に示した実施例に基づき、本発明を更に詳細に説明する。図１及び図２は、本発明の複数の家具を使用して構成した配置例を示し、図３はその要部を示し、図中符号１〜４は机、５は天板、６は膨出部、７は配線ダクト、８は補助机、９は補助天板をそれぞれ示している。本実施形態では、家具の一例として机を例示して説明するが、本発明はテーブルやその他の天板を有する家具であれば適用できる。
【００１５】
前記机１〜４は、天板５の後部に後方へ突出した膨出部６を有し、該膨出部６の下面側に横方向へ延びた配線ダクト７を設けたものである。そして、複数の前記机１〜４を前後左右に密接させて千鳥配置可能とし、端部に形成される半端な空間には、補助天板９を有する補助机８を設置できるようになっている。このような配置は島型レイアウトという。
【００１６】
更に詳しくは、前記机１の天板５は、前記膨出部６の縁部を直線状の傾斜縁１０で形成し、具体的には前記天板５の両側縁１１，１１を平行且つ同一奥行幅とするとともに、前記膨出部６の形状を傾斜縁１０，１０を有する二等辺三角形状としている。本実施形態の机１〜４は、それぞれ独立したものではなく、後述の脚体を共用して連結した構造となっている。
【００１７】
本実施形態では、図１に示すように、机１の天板５と机２の天板５を左右に側縁１１，１１同士を接合して配置し、前記両天板５，５の膨出部６，６間の空間に、背面合わせに配置した机３の天板５の両傾斜縁１０，１０を机１の天板の右側傾斜縁１０と机２の天板５の左側傾斜縁１０とにそれぞれ接合して配置し、机３の天板５の側縁１１に机４の天板５の一方の側縁１１を接合するとともに、机４の天板５の一方の傾斜縁１０を前記机１の天板５の左側傾斜縁１０に接合した状態に設置し、そして端部に位置する机２の右側側縁１１、机３の左側側縁１１及び机４の右側側縁１１の下方にそれぞれ板状の脚体１２，…を取付けるとともに、机１の天板５の右側側縁１１と机２の天板５の左側側縁１１の接合部分に跨って柱状の脚体１３，１３を取付け、机３の天板５の右側側縁１１と机４の天板５の左側側縁１１の接合部分に跨って柱状の脚体１３，１３を取付け、更に各机１〜４の天板５の膨出部６の後端部に同じく柱状の脚体１３を取付けて構成している。また、前記机１の天板５の左側側縁１１と机４の天板５の右側傾斜縁１０で形成される空間には、前記補助机８を設置し、その補助天板９の側縁１４を前記机１の天板５の左側側縁１１に接合するとともに、その接合部分に跨って前記脚体１３，１３を前後に取付け、更に補助天板９の後側の傾斜縁１５を前記机４の天板５の右側傾斜縁１０に接合し、補助天板９の左側側縁１６に沿って前後に前記脚体１３，１３を取付けて構成した。ここで、前述の説明において、「右側」、「左側」とは、机に向かって着座する者の右手側、左手側である。
【００１８】
前記配線ダクト７は、図３に示すように、上方に凹溝１７を向けた断面略コ字形のチャンネル部材１８を２本の吊支杆１９，１９で前記天板５の膨出部６の下面側に取付けている。前記凹溝１７には配線コードＣを載置収容し、配線するのである。前記吊支杆１９，１９は、前記チャンネル部材１８の凹溝１７の前後中央部に設けられており、該吊支杆１９，１９で、凹溝１７を前後に区画し、それぞれ強電用コードＣ１と弱電用コードＣ２を分離して配線できるようになっている。尚、前記凹溝１７を区画壁で長手方向に沿って区画することがより好ましい。しかし、本発明において配線ダクト７の構造自体に限定は不要である。
【００１９】
更に、前記天板５の膨出部６であって、前記配線ダクト７の直上又は接近した位置にコード挿通孔２０を設け、前記配線ダクト７から天板５の上面側へ配線コードＣを引き出すことができるようにしている。前記コード挿通孔２０には、開閉可能な蓋、若しくは着脱可能なキャップを設け、通常は塞いでおくことが好ましい。
【００２０】
また、本実施形態では、前記机１〜４の天板５の前縁中央部には凹陥部２１を形成し、着座者の腹部を受入れ、使用勝手を良くしている。更に、前記天板５の下面中央部には引出し２２を設けるとともに、天板５の右側下方に袖キャビネット２３を設置している。
【００２１】
このように、本発明は、机１〜４の天板５の傾斜縁１０，１０同士を接合して前後に背面合せで設置すると、各机１〜４の前記配線ダクト７，…が、同一直線状に配列するので、この配線ダクト群を用いて配線コードＣを各机に亘って配線することができるのである。
【００２２】
次に、図４〜図６に基づいて前後の机間に幕板２４を取付ける構造を説明する。前記幕板２４は、前記机天板５の下面に吊下げ状に間隔を置いて取付けた支持部材２５，２５にて両側縁を支持する。前記支持部材２５は、金属パイプで構成されており、上端部に略Ｕ字状の取付部２６を有し、該取付部２６の両端に取付板２７，２７を固着するとともに、前記取付部２６の中央部に支持杆２８を垂下固着した構造である。そして、図４に示すように、前後に背面合わせの状態で設置した机１と机４の天板５，５の傾斜縁１０，１０の接合部分を跨いで前記取付部２６を配置し、各天板５，５の下面に前記取付板２７，２７をネジ止め等の手段で取付け、間隔を置いて設けた支持部材２５，２５の支持杆２８，２８の間に幕板２４を配し、その両側縁を支持杆２８にネジ止め等の手段で取付ける。また、複数の幕板２４，…を直線状に連結する場合には、前記支持部材２５の支持杆２８を共用して次々と連結するのである。
【００２３】
このように、前後に設置した机の天板５，５同士の接合部分を跨いで支持部材２５の取付部２６を取付けるので、該取付部２６で天板５，５同士を強固に連結することにもなる。ここで、前記配線ダクト７との関係では、前記支持部材２５は、配線ダクト７が途切れた位置に取付けるとともに、前記幕板２４を前記チャンネル部材１８よりも下方に位置するように設定する。尚、前記支持部材２５の支持杆２８は、前記吊支杆１９と同様に強電用コードＣ１と弱電用コードＣ２を分離して配線するための区画用として利用でき、更に配線ダクト７が途切れた位置にあるので、この支持杆２８で配線コードＣを保持するようにしても良い。
【００２４】
次に、図７〜図１０に基づいて、前記支持部材２５を利用した幕板２４の取付構造の適用例を説明する。ここで使用する机は矩形天板を有するものである。図７及び図８に示した例では、前後に位置する机２９，３０の天板３１，３２間に隙間を開けて設置し、該隙間に臨むように各天板３１，３２の後方に配線ダクト３３，３４を設け、前記支持部材２５の略Ｕ字状の取付部２６を前記配線ダクト３３，３４を回避するように両天板３１，３２の下面に取付板２７，２７にて取付ける。そして、前記同様に間隔を置いて取付けた前記支持部材２５，２５の支持杆２８，２８間に幕板２４を取付けるのである。この場合、前記幕板２４は、前後の机２９，３０の中間で、前記配線ダクト３３，３４の下方に位置する。この場合も、前記支持部材２５の取付部２６は、前後の机２９，３０を強固に連結するとともに、天板３１，３２間に一定の間隔を有する配線ダクト用の隙間を確保するのである。
【００２５】
また、図８に示すように、横方向に机２９，３５をその天板３１，３６を接合状態で設置した場合、机２９の天板３１の後部に設けた配線ダクト３３と机３５の天板３６の後部に設けた配線ダクト３７とが直線状に連続するようになっている。この場合、複数の幕板２４，…を横方向に連続して取付けるには、前記同様に支持部材２５の支持杆２８を介して次々と連結するのである。尚、図７及び図８において、符号３８は天板を支持する脚体を示している。
【００２６】
また、図９及び図１０に示したものは、図７及び図８に示したものの変形例であり、前記机２９，３０，３５の配置と前記支持部材２５，…による幕板２４の取付構造は前記同様であるが、チャンネル状の配線ダクト３９を前記天板３１，３２，３６には取付けずに、前記支持部材２５，…の取付部２６，…を利用して取付けたものである。即ち、間隔を置いて存在する複数の取付部２６，…が、あたかも樋状の配線ダクト３９の受具となり、１本の連続した配線ダクト３９、あるいは単位長さの複数の配線ダクト３９，…を連結したものを各取付部２６，…に渡して取付けるのである。この場合、前記配線ダクト３９の断面形状を、前記支持部材２５の取付部２６の内縁の形状と一致させ、配線ダクト３９の両側縁を前後の天板３１，３２の下面に当接する状態、つまり天板３１，３２間の隙間を完全に塞ぐ状態に取付けることも可能であるが、配線ダクト３９の両側縁と天板３１，３２との間に空間を設けておけば、この空間から天板３１，３２の下方へ配線することができるので好ましい。しかし、前述の配線ダクト３９で天板３１，３２間の隙間を完全に塞ぐ状態に取付けても、該配線ダクト３９に部分的に切欠部を設ければ、天板３１，３２の下方へ配線するようにできる。その他の構成は、前記同様であるので、同一構成には同一符号を付してその説明は省略する。
【図面の簡単な説明】
【００２７】
【図１】本発明に係る家具を用いて島型レイアウトを構成した例を示す平面図である。
【図２】同じく正面図である。
【図３】同じく本発明の要部の部分斜視図である。
【図４】前後の机の間に幕板を設けた実施形態を示す島型レイアウトの平面図である。
【図５】同じく正面図である。
【図６】同じく要部の部分斜視図である。
【図７】前後に隙間を設けて設置した机間に幕板を取付けた例を示す要部の断面図である。
【図８】同じく正面図である。
【図９】前後に隙間を設けて設置した机間に幕板を取付けた他の例を示す要部の断面図である。
【図１０】同じく正面図である。
【符号の説明】
【００２８】
１〜４  机              ５  天板
６  膨出部              ７  配線ダクト
８  補助机              ９  補助天板
１０  傾斜縁            １１  側縁
１２  脚体              １３  脚体
１４  側縁              １５  傾斜縁
１６  側縁              １７  凹溝
１８  チャンネル部材    １９  吊支杆
２０  コード挿通孔      ２１  凹陥部
２２  引出し            ２３  袖キャビネット
２４  幕板              ２５  支持部材
２６  取付部            ２７  取付板
２８  支持杆            ２９，３０，３５  机
３１，３２，３６  天板  ３３，３４，３７  配線ダクト
３８  脚体              ３９  配線ダクト
Ｃ  配線コード          Ｃ１  強電用コード
Ｃ２  弱電用コード
【図１】
2005152162.tif 000003
【図２】
2005152162.tif 000004
【図３】
2005152162.tif 000005
【図４】
2005152162.tif 000006
【図５】
2005152162.tif 000007
【図６】
2005152162.tif 000008
【図７】
2005152162.tif 000009
【図８】
2005152162.tif 000010
【図９】
2005152162.tif 000011
【図１０】
2005152162.tif 000012